(57)【特許請求の範囲】
【請求項１】
撮像手段を有し、当該撮像手段で撮像された被写体像を画像データに変換し、当該画像データを記録手段に記録可能であり、外部との通信を行うインターフェース手段を有する第１の電子カメラと、
前記インターフェース手段を介して前記第１の電子カメラと通信が可能な第２の電子カメラと、
を有する電子カメラシステムであって、
前記第１の電子カメラから前記第２の電子カメラに対してヘッダと画像データとを含んで構成されるファイル形式の画像ファイルデータと画像の目次となる制御ファイルとの両方を送信可能であると共に、前記画像ファイルデータと前記制御ファイルとの両方を送信する場合は前記制御ファイルの送信後に前記画像ファイルデータを送信することを特徴とする電子カメラシステム。
【請求項２】
前記制御ファイルは前記画像データより画素数の少ない目次画像を有することを特徴とする請求項１に記載の電子カメラシステム。
【発明の詳細な説明】
【０００１】
【産業上の利用分野】
本発明は、インターフェース手段を有する電子カメラを含むシステムに関する。
【０００２】
【従来の技術】
近年、ＩＣメモリカード，磁気記録媒体，光磁気記録媒体等を記録媒体とするデジタルスチルビデオカメラ（以下、ＤＳＣと記載する）の開発がめざましい。
【０００３】
ところで、そのようなＤＳＣにおいて、画像データの通信を簡便に行うことが出来れば便利である。
【０００５】
【発明が解決しようとする課題】
しかしながら、従来はＤＳＣにおいて簡便に通信が行えるシステムの提案は何らなされていなかった。
【０００７】
本発明は、画像データの通信を簡便に行うことが出来るシステムを提案するものである。
【０００８】
【課題を解決するための手段】
本発明の第１の電子カメラシステムは、撮像手段を有し、当該撮像手段で撮像された被写体像を画像データに変換し、当該画像データを記録手段に記録可能であり、外部との通信を行うインターフェース手段を有する第１の電子カメラと、前記インターフェース手段を介して前記第１の電子カメラと通信が可能な第２の電子カメラと、を有する電子カメラシステムであって、前記第１の電子カメラから前記第２の電子カメラに対してヘッダと画像データとを含んで構成されるファイル形式の画像ファイルデータと画像の目次となる制御ファイルとの両方を送信可能であると共に、前記画像ファイルデータと前記制御ファイルとの両方を送信する場合は前記制御ファイルの送信後に前記画像ファイルデータを送信することを特徴とする。
本発明の第２の電子カメラシステムは、上記第１の電子カメラシステムにおいて、前記制御ファイルは前記画像データより画素数の少ない目次画像を有することを特徴とする。
【０００９】
【作用】
本発明の電子カメラシステムによって画像データの授受が効率的で簡便に行える。
【００１０】
【実施例】
図１は、画像記録装置の一例であるＤＳＣ（デジタルスチルカメラ）２０の外観図である。該ＤＳＣ２０は、その画像情報の記録媒体としてＩＣメモリカード１７を用いるものとする。
【００１１】
本ＤＳＣ２０においては、上記図１に示すようにカメラ外装体１８の前面部に被写体像を取り込む撮影レンズ１が配設されている。そして、外装体１８の上面には制御動作指示用の操作スイッチ群１４ａ〜１４ｅと、ＬＣＤ表示部１３と、撮影動作の指示をするレリーズスイッチ釦１９が配設されている。更に、側面部にはビデオ信号出力端子７と、ＰＣ、および、モデム等の外部機器との信号授受のための接続部であってミニＤＩＮコネクタ等で構成されるコネクタ１５ａと記録媒体であるメモリカード１７の挿入口１８ａが配設されている。
【００１２】
図２は、前記操作スイッチ群１４ａ〜１４ｅの拡大図であり、該スイッチ群のうち、１４ａは、カメラの電源（ＰＯＷＥＲ）スイッチであり、１４ｂは、記録、または、再生指示を行う記録／再生（ＲＥＣ／ＰＬＡＹ）スイッチである。また、１４ｃは、再生、消去コマ指定番号を１コマアップさせるアップ（ＵＰ）スイッチであり、１４ｄは、再生、消去コマ指定番号を１コマダウンさせるダウン（ＤＯＷＮ）スイッチである。更に、１４ｅは、接続されたモデムに対応するようにＩ／Ｆを機能させる指示を与えるモデム切り換え（ＭＯＤＥＭ）スイッチである。
【００１３】
図３は、前記表示部１３の詳細を示す図であり、該表示部１３は、撮影画面データの再生時に点灯するセグメント「ＰＬＡＹ」と、通信機器としてモデムが選択された時に点灯するセグメント「ＭＯＤＥＭ」と、接続されたモデムが通信可能状態になった時に点灯するセグメント「ＣＯＮＮＥＣＴ」と、２種類の７セグメント表示部で構成される。上記２種類の７セグメント表示部のうち１つはコマ番号、ファイル処理状態等を表示するものであり、他の１つは残り撮影可能コマ数を表示するものである。
【００１４】
図４は、上記ＤＳＣ２０の制御部の主要ブロック構成図であり、本ＤＳＣは、レリーズスイッチ釦１９（図１参照）の押圧に応動して、装着されているメモリカード１７に被記録信号である撮像信号の記録を行い、また、操作スイッチ群１４ａ〜１４ｅのスイッチ釦の操作により該メモリカード１７上の指定されたコマ番号の画像ファイルの撮像記録信号を再生し、そのビデオ信号をビデオ信号出力端子７より出力する。更に、被記録信号供給手段の１つである通信用外部インターフェース回路のRS232CＩ／Ｆ１５により、モデムを介して画像情報の通信が可能である。
【００１５】
以下その構成について詳細に説明すると、まず、撮影時においては、被写体像が撮影レンズ１を介して被記録信号供給手段の１つである撮像回路２に内蔵されるＣＣＤ等の撮像素子上に結像され、画像信号として被記録信号供給手段の１つであるＡ／Ｄコンバータ３に出力される。Ａ／Ｄコンバータ３でデジタル変換された画像データは、被記録信号供給手段の１つであって画像メモリのフレームメモリ４に一時的に記憶される。そして、フレームメモリ４の画像データは、Ｄ／Ａコンバータ５で再度アナログ変換され、ビデオエンコーダ６を介してビデオ信号としてビデオ出力端子７より出力される。
【００１６】
メモリカード１７に画像データを記録する場合は、フレームメモリ４から画像データをブロック単位で読み出し、圧縮／伸張回路９でＪＰＥＧ（JOINT PHOTOGRAFIC EXPERT GROUP）方式等によりデータ圧縮して、バスを介して被記録信号供給手段の１つであるカードＩ／Ｆ１６に入力する。そこで、メモリカード１７上の指定された領域に上記圧縮データが書き込まれる。
【００１７】
一方、再生時には、まず、ＵＰスイッチ１４ｃ，ＤＯＷＮスイッチ１４ｄを操作してコマ番号等を指定する。そのコマ番号、または、ファイル番号等は、ＬＣＤ表示部１３に表示される。その指定に基づいて、メモリカード１７のメモリ領域が選択され、対応する画像データがカードＩ／Ｆ１６、バスを介して圧縮／伸長回路９に入力される。そこで、画像データの伸長処理がなされ、フレームメモリ４に記憶される。その画像データは、再度、フレームメモリ４から読み出されて、前述したようにＤ／Ａコンバータ５でアナログ信号に変換され、ビデオエンコーダ６に入力する。そして、ビデオエンコーダ６でエンコードされ、ビデオ信号としてビデオ信号出力端子７より出力される。
【００１８】
なお、ＤＳＣ２０の各制御要素はシステムコントローラ１０によりコントロールされるものとする。そして、操作スイッチ１４ａ〜１４ｅからの入力信号は、給電制御手段を兼ねる表示・スイッチ制御回路１２を介して、システムコントローラ１０に入力され、各制御処理が行われる。また、ＬＣＤ表示部１３の表示は、システムコントローラ１０の指示に基づいて表示・スイッチ制御回路１２を介して行われる。
【００１９】
更に、各制御要素の駆動電源部となる電源手段の電源回路１１が配設されており、該電源回路１１の動作は、後述するように操作スイッチのうちのＰＯＷＥＲスイッチ１４ａの操作信号に基づいて、または、外部通信回線接続完了に伴う被呼信号であるＣＩ信号に基づいて、上記表示・スイッチ制御回路１２により、その給電動作がコントロールされるものとする。
【００２０】
図５は、本例のＤＳＣ２０に、電話回線を介して外部機器と通信するためにモデム２２等を接続したときの系統とブロック構成を示す図である。そして、本図に示すようにモデム２２には、電話回線２３が接続され、更に、モデム２４を介して相手側カメラ２５、または、ＰＣ（パーソナルコンピュータ）２６と接続されている。
【００２１】
なお、ＤＳＣ２０については、その電源供給、および、通信制御に関する回路部、即ち、システムコントローラ１０と表示・スイッチ制御回路１２およびRS232CＩ／Ｆ１５の回りのみ図示している。該回路部において、表示・スイッチ制御回路１２、および、電圧変換回路２１は、ＰＯＷＥＲスイッチ１４ａ、または、モデム等の接続に関わらず、常時、動作状態に保持されるために専用の電源部１２ａを有している。そして、表示・スイッチ制御回路１２によりコントロールされる電源回路１１は、システムコントローラ１０、および、RS232CＩ／Ｆ１５への給電を、表示・スイッチ制御回路１２の指示により実行する。
【００２２】
また、相手側カメラ２５が電話回線２３、モデム２４，２２を介して通信可能状態に接続されたとき、モデム２２を介して被呼信号ＣＩが入力される。該被呼信号ＣＩは、電圧変換回路２１を介して表示・スイッチ制御回路１２に入力される。このように電圧変換回路２１を介して入力する理由は、モデムの出力電圧レンジが±１５Ｖであり、ＤＳＣ２０側が０〜５Ｖで動作するため電圧変換を必要とするからである。なお、上記表示・スイッチ制御回路１２、および、電圧変換回路２１のみは、上述のように内部に電源部１２ａを有しており、常時、作動状態にある。
【００２３】
以上のように構成された図５のＤＳＣ２０の回路部のパワーオン動作について説明する。
【００２４】
まず、ＰＯＷＥＲスイッチ１４ａが操作された場合、表示・スイッチ制御回路１２の指示により電源回路１１が動作状態になり、システムコントローラ１０，RS232CＩ／Ｆ１５、および、他の制御要素に給電され、カメラモードによる記録、または、再生可能の動作状態になる。
【００２５】
一方、上記ＰＯＷＥＲスイッチ１４ａがオフの状態において、外部機器がモデムを介して接続され、通信が可能状態となると、上記外部機器から被呼信号ＣＩが入力される。そのＣＩ信号が電圧変換回路２１を介して表示・スイッチ制御回路１２に入力される。その入力に基づいて表示・スイッチ制御回路１２は、電源回路１１を給電状態にし、システムコントローラ１０等の制御要素に給電がなされる。そして、メモリカード１７に相手側カメラからの被記録信号が書き込み可能な状態になる。
【００２６】
なお、図５に示すように電話回線によってＰＣ２６とも通信は可能であって、該ＰＣ２６によって、ＤＳＣ２０と画像データの授受やＰＣ２６による遠隔操作も可能となる。また、ＤＳＣ２０の通信開始時の上述した被呼信号ＣＩによるパワーオン処理も勿論可能となる。
【００２７】
上記パワーオン動作について、図６のフローチャートにより説明する。
被呼信号ＣＩが入力されると、「ＣＩ割り込み」処理が起動する。まず、システム全体が電源オンの状態となる（ステップＳ１）。このとき、表示部１３はオスの状態を保つ。この表示はＤＳＣが通信可能状態になった時点でオン状態になる。続いて、ＣＩ入力フラグを１にセットする（ステップＳ２）。
【００２８】
一方、上記システム電源オンに伴い、システムコントローラ１０側のサブルーチンの「パワーオン処理」もコールされ、上記ステップＳ１における電源オンに対応した一部のパワーオン処理がなされる（ステップＳ３）。この一部のパワーオン処理は表示部１３の表示は行わず、他の制御要素の作動準備を行うものである。続いて、前記ＣＩフラグの読み出しを行う（ステップＳ４）。
【００２９】
ステップＳ５でＣＩフラグをチェックして、被呼信号ＣＩの入力があったかどうかをチェックする。信号ＣＩの入力があった場合、ステップＳ７に進み、「通信処理」ルーチンが実行される。信号ＣＩの入力がなかった場合にはパワースイッチ１４ａが操作されたことになるので、ＤＳＣ２０自体による撮影、または、画像再生を実行するためのカメラモードに対応する作動準備のためのパワーオン処理がなされる。
【００３０】
上記「通信処理」ルーチンによる処理は、図７のフローチャートに示すように、まず、ステップＳ１１において、モデム通信モードに対するパワーオン処理を実行する。この処理により表示部１３に表示がなされ、パワーオン状態になったことを知らせる。ステップＳ１２において、ＡＴコマンドを送ってモデムの設定を行う。ステップＳ１３で相手側カメラからの通信メッセージの受信を持つ。ステップＳ１４で上記通信メッセージに基づいてファイルの送信を行うかどうかを判定する。ＤＳＣ２０から相手側カメラ２５に画像ファイルデータを送信する場合、ステップＳ１５に進み、相手側カメラ２５から画像ファイルデータをＤＳＣ２０に受信する場合、ステップＳ２１に進む。
【００３１】
上記ステップＳ１５に進んだ場合、ディレクトリデータの送信を行い、更に、ステップＳ１６にて、画素数の少ない目次画像の制御ファイルの送信を行う。続いて、画像ファイルデータを送信して（ステップＳ１７）、ステップＳ１８に進む。一方、上記ステップＳ２１に進んだ場合、ＤＳＣ２０の受信可能なメモリ容量データの送信を実行する。そして、画像ファイルデータを受信して（ステップＳ２２）、ステップＳ１８に進む。
【００３２】
ステップＳ１８では、回線２３の切断処理を実施し、更に、ステップＳ１９、２０においてパワーオフ処理、また、システムコントローラ１０から表示・スイッチ制御回路１２にパワーオフ命令を出し、システムコントローラ１０自身、および、表示・スイッチ制御回路１２以外の他の制御要素の電源をオフ状態にして、本ルーチンを終了する。
【００３３】
上述のように、本例のＤＳＣ２０により外部との通信を実行しようとする場合、使用者がわざわざ受信側であるカメラの電源スイッチを操作することなく、通信開始と同時に、電源オンの状態にすることが可能になる。更に、通常の待ち状態では表示・スイッチ制御回路１２と電圧変換回路２１のみが動作状態で他の回路には給電されない状態であることから、効果的な節電が実施可能になる。
【００３４】
なお、本例においては、画像記録装置としてＤＳＣを適用したが、これに限らず、その機器自体に撮像手段を持たない録再機にも本装置を適用できることは勿論である。
【００３５】
次に、ＤＳＣに外部通信機器としてＰＣ（パーソナルコンピュータ）が適用された場合の変形例について説明する。
図８は、本変形例のＤＳＣ３０に、ＰＣ３１を接続したときの系統とブロック構成を示す図である。そして、上記変形例のＤＳＣ３０については、電源供給，通信制御に関する回路部、即ち、システムコントローラ１０と表示・スイッチ制御回路１２およびRS232CＩ／Ｆ１５の回りのみを図示する。但し、前記例のものと同様の構成要素については同一の符号を付す。更に、本図に図示しない構成は前記例のものと同一である。
【００３６】
なお、該回路部において、ＰＣ３１が通信可能状態に接続されたとき、送信信号ＳＤが入力されるが、その信号を被呼信号として利用する。即ち、該送信信号ＳＤは、RS232CＩ／Ｆ１５に入力されると同時に、電圧変換回路２１を介して表示・スイッチ制御回路１２にも入力し、後述するようにパワーオン処理を行って、ＤＳＣ３０を通信可能状態にする。なお、このように電圧変換回路２１を介して入力する理由は、前記例の場合と同様にＰＣの出力電圧レンジが±１５Ｖであり、ＤＳＣ３０側が０〜５Ｖで動作するため電圧変換を必要とするからである。また、ＤＳＣ３０がＰＣ３１へデータを送信する場合、ＤＳＣ３０は、RS232CＩ／Ｆ１５を介してＰＣ３１の送信データＲＤを出力する。そして、ＤＳＣ３０とＰＣ３１との通信状態のコネクタのリード線本数はアース線も含めて３本となる。
【００３７】
図９は、上記送受信信号ＳＤ，ＲＤのタイムチャートであって、該信号には転送スタート時に−１５Ｖから＋１５Ｖに立ち上がり所定のパルス幅のスタートビット信号と、転送終了時に＋１５Ｖから−１５Ｖに立ち上がりの所定パルス幅のストップビット信号が含まれる。
【００３８】
以上のように構成された図５のＤＳＣ２０の回路部のパワーオン動作について、図１０のフローチャートにより説明する。
ＰＣ３１側から送信信号ＳＤが入力されると、「ＳＤ割り込み」処理が起動する。まず、システム全体が電源オンの状態となる（ステップＳ３１）。このとき、表示部１３はオフの状態を保つ。なお、表示部１３は、この後、ＤＳＣが通信可能状態になった時点でオン状態になる。続いて、ＳＤ入力フラグを１にセットする（ステップＳ３２）。
【００３９】
一方、上記システム電源オンに伴い、システムコントローラ１０側のサブルーチンのパワーオン処理もコールされ、上記ステップＳ３１における電源オンに対応した一部のパワーオン処理がなされる（ステップＳ３３）。この一部のパワーオン処理でも表示部１３の表示は行わない。続いて、前記ＳＤフラグの読み出しを行う（ステップＳ３４）。ステップＳ３５でＳＤフラグをチェックして、ＳＤ入力があったかどうかをチェックする。
【００４０】
ＳＤ入力がない場合には、ＤＳＣ３０のパワースイッチの操作が行われたことになり、ＤＳＣ３０自体による撮影、または、画像再生を実行するためのカメラモードに対応するパワーオン処理がなされる。
【００４１】
ＳＤ入力があった場合、ステップＳ３６に進み、ＲＳ２３２Ｃによる通信処理が開始される。しかし、一定時間、例えば、０．５秒内に通信が成立しなかった場合、正常なデータが入力されていないと判断し（ステップＳ３７）。ステップＳ３８，３９に進み、パワーオフ処理を行い、パワーオフ命令を出力する。そして、本ルーチンを終了する。なお、上記パワーオフ命令が出力された場合、「受信処理」ルーチンが立ち上がり、表示・スイッチ制御回路１２によるシステム電源オフ処理が行われる。
【００４２】
以上説明したように本変形例のＤＳＣ３０によれば、送信、受信の２本の信号線（コモンラインを含めると信号線３本）のみで、カメラをパワーオフからパワーオンさせることがとなり、ＰＣからカメラの遠隔操作の操作性を向上させることができる。勿論、前記例のＤＳＣの有している前述の効果も有している。
【００４３】
次に、前記例のＤＳＣ２０、または、３０の関連機器であって、外部通信回線を通じてモデムの制御，データの送受信、カメラのコントロール等を集中して操作でき、カメラ本体へのキー操作、および、表示の煩雑さが改良された外部接続機器である画像通信アダプタについて提案する。
【００４４】
従来のＤＳＣにおいては、電話回線を使ったデータ転送が直接行うことはできず、ＰＣ（パーソナルコンピュータ）からの設定によって転送を行っていた。また、記録媒体をカメラより抜き出し、別の専用転送機に装着し、そこからデータの転送を行っていた。更に、特願平２−３０９８７５号に開示の電子スチルカメラにおいては、アダプタをカメラに装着し、そのアダプタを介してＰＣとのデータの転送を行うものであった。
【００４５】
ところが、上記従来のようなＤＳＣの転送態様であると、データを転送するためのＰＣへのデータ吸い上げや転送専用機の準備等煩雑である。また、ＤＳＣ内に転送処理部を設けることは、ソフトの複雑化、および、表示、操作の繁雑化を招き、実現性を欠いていた。
【００４６】
また、特願平２−３０９８７５号に開示の電子スチルカメラにおいて、電話回線を使って外部機器と通信を行おうとすると、前記アダプタとは別に電話器を接続し、該電話器を用いて相手先を呼び出す必要があり、非常に面倒な状態になっていた。
【００４７】
本提案の画像通信アダプタは、それらの不具合を解決するものであって、転送に関する操作、および、表示を本アダプタ上で行え、カメラの操作性や表示が複雑にならないようにすることができるものである。
【００４８】
図１１は、本アダプタ５０のブロック構成と、該アダプタ５０に接続されるカメラであるＤＳＣ５３，モデム５４，電話器５５の接続を示した図である。また、図１２は、上記アダプタ５０と各接続機器の接続状態を示した斜視図である。
【００４９】
上記アダプタ５０は、ＣＰＵ４１により各制御要素がコントロールされる。モデム５４との通信は、第２のインターフェースであるRS232Cドライバ４４を介して行い、ＤＳＣ５３との通信は第１のインターフェースであるRS232Cドライバ４５を介して行われる。そして、通信電話回線の電話番号の指定やＤＳＣ５３への動作指示を与えるためのテンキーとコマ指定用キー、あるいは、電話番号を記憶させるメモリキー等で構成される操作手段であるキーマトリックス４２が配設され、その出力がＣＰＵ４１に入力される。また、電話番号やコマ数、通信先等の表示や現在カメラ側を操作しているか、モデム側を操作しているか、また、送信中であるか、受信中であるか等の表示をするＬＣＤ表示４３が配設されている。更には、上記RS232Cドライバ４４，４５，ＣＰＵ４１等の駆動用電源を供給する電源回路４６も内蔵される。
【００５０】
一方、モデム５４にはスイッチ５４ａが内蔵されており、電話器５５、または、他のＤＳＣ，ＰＣに接続を切り換えることができる。上記電話器５５は必ずしも必要な要素ではないが、この電話器５５を介して通信先を呼び出すことも可能である。更に、上記モデム５４には、後述する手動発着信スイッチ５４ｂも配設されている。なお、このモデム５４の基本的な仕様は、一般的に利用されているモデムの仕様が適用可能である。
【００５１】
以上のように構成された本アダプタ５０を利用したＤＳＣ５３の通信時の動作について説明すると、まず、モデム５４からの被呼信号を本アダプタ５０のRS232Cドライバ４４が受けるとＣＰＵ４１を介して、RS232Cドライバ４５よりＤＳＣ５３に該被呼信号を出力することによって、外部機器との通信開始のためのパワーオン処理が実行される。この処理は、上述した例のもので説明したパワーオン処理と同一の処理である。また、モデムのパワーオン処理も行うことが可能である。その後、上記ドライバ，ＣＰＵを介して画像情報等の送信、または、受信を行うことができる。
【００５２】
なお、本アダプタを用い、通信に先立ち、図１２に示すキーマトリックス４２のテンキーを操作して入力し、通信先を選択すること、また、カメラ５３側のコマ数の指定や管理、撮影条件の設定等も行うことができる。そして、モデム５４における電話回線とカメラの通信切り換えは、図１２の手動発着信スイッチ５４ｂのツマミを操作して行うことが可能である。この手動発着信スイッチ５４ｂの機能は、スイッチツマミ位置ＡＮＳ，ＡＡ，ＯＲＧにより次の（表１）に示される機能が選択可能である。
【００５３】
【表１】
スイッチ    スイッチ位置    機能
手動          ＡＮＳ      手動で着信
発着信        ＡＡ        自動（モデムコマンド）で発着信
スイッチ      ＯＲＧ      手動で発信
なお、本アダプタ５０は、上記モデム５４と一体構造とするように構成してもよいことは勿論である。
【００５４】
次に、前記例のＤＳＣ２０における画像データのファイル管理システムであって、前記図１６等で説明したＤＯＳによってサポートされるＦＡＴシステム、または、類似のメモリ管理システムを用いた使い勝手のよい画像データ管理システムについて説明する。
【００５５】
前記ＤＳＣでは、撮影、または、通信により画像データが記録媒体であるメモリカードにデータファイルとして記録されるが、図１６は、記録媒体であるメモリカードのメモリ領域の配置を示す図である。該メモリ領域は、ＪＥＩＤＡ（日本電子工業振興協会）にて提案されているように、まず、ブートセクタ領域には、ＤＳＣのＩ／ＦのＯＳ（オペレーティング  システム）がＤＯＳを用いることから後述するＦＡＴ（FILE ALLOCATION TABLE)，ルートディレクトリ（階層構造）の管理領域情報が記録される。
【００５６】
（表２）は、そのブートセクタのフォーマットを示す。このフォーマットも前記ＪＥＩＤＡで提案されている「ＩＣメモリカードガイドライン Ver.4.1」によるものである。上記ブートセクタにおいては、最初の部分にブートコードへのジャンプ命令，メーカ名等に続いて、BPB として示す範囲にはＤＯＳの管理情報、即ち、上述したようにＦＡＴ，ディレクトリに対する管理情報が格納されている。このデータを読み出すことによりＦＡＴ，ディレクトリの解釈が可能となる。なお、このデータにはある程度の自由度が持たされている。
【００５７】
【表２】
0003636209.tif 000002
更に、上記ＦＡＴ領域にはデータの記録領域情報がチェーン形式で記録され、ルートディレクトリ領域には後述するデータ記録領域にデータがどのように記録されているかの情報が記録される。
【００５８】
図１７は、上記ブートセクタに続いて記録されるＦＡＴの構成を示した図である。ＦＡＴデータの記録領域は各エントリがクラスタに対応して分割される。例えば、各エントリがそれぞれ２クラスタ，３クラスタ，………，最終クラスタに対応している。各エントリは１２ビット構成とする。なお、最初の２つのエントリ０と１は、システム予約になっている。そして、ＦＡＴのデータ構成としては、ディレクトリにより指定されたエントリに始まり、使用したクラスタを順次指定してゆくチェーン構造とする。チェーンの最後は０ＦＦＦＨ（Ｈは１６進数であることを示す）で終了する。なお、エントリデータ０は、未使用状態を示す。
【００５９】
ＦＡＴに続いてルートディレクトリ情報が格納されている。
【００６０】
図１８は、上記ルートディレクトリを構成するエントリを示す。これらのエントリ０，１，２，３……は、それぞれコマＮＯ．のデータ領域の画像ファイルに対応することになる。但し、サブディレクトリが作成された場合、対応するエントリは、サブディレクトリのためのディレクトリエントリとなる。そして、該サブディレクトリデータは、データ領域に格納される。但し、そのサブディレクトリのエントリ０にはファイル名「・」とし自身の位置情報が格納されエントリ１にはファイル名「・・」とし上位のディレクトリの位置情報が格納される。そして、エントリ２以降にディレクトリデータが格納される。
【００６１】
なお、図１９は、３２バイトで構成されるディレクトリエントリのフォーマットを示している。また、表３は、属性の値と属性の内容を示す表である。
【００６２】
【表３】
データ          属性
００Ｈ      普通のファイル
０１Ｈ      読み出し専用ファイル
０２Ｈ      隠しファイル
０４Ｈ      システムファイル
０８Ｈ      ボリームＩＤ
１０Ｈ      サブディレクトリ
２０Ｈ      アーカイプファイル
ルートディレクトリ領域に続いて配設されるデータ記録領域は、各画像ファイルにより構成されている。該画像ファイルにはそれぞれ１コマ分の画像に関するデータが書き込まれている。前記図１６に示すように該画像ファイルは、ヘッダ部と画像そのものを格納する画像データ部とで構成される。
【００６３】
該ヘッダには図２０に示すように仕様タプル，データ形式タプル，撮影情報タプル，コメントタプル等が記録されている。上記仕様タプルは、仕様バージョン，ファイルの映像・音声・制御の別を示す種類，ヘッダの大きさを与える。データ形式タプルは、ファイル本体の形式、即ち、ＪＰＥＧ・非圧縮・ＰＩＣＴ、その他画像データの保持形式の形式別を与える。撮影情報タプルにはシャッタ速度や絞り等の撮影情報が記録される。また、コメントタプルには、撮影の説明文等が記録される。
【００６４】
なお、図２１は、上記タプル形式のデータ構造を示す図であり、該タプルは規定データを表すタプルＩＤ，次タプルのポインタ，タプルデータとで構成されている。
【００６５】
次に、本発明にかかる画像データ管理方法の一実施例を説明する。
図１３は、本実施例の画像データ管理方法に使用される、データ管理領域に続いて配設される画像データ記録領域を示した図である。同図に示すように各画像ファイルＢ1 ，Ｂ2 ，Ｂ3 はそれぞれヘッダ部と画像データ部、および、０データ部Ｂ1a, Ｂ2a, Ｂ3aで構成する。上記０データ部Ｂ1a, Ｂ2a, Ｂ3aには値０が書き込まれるが、図示するように画像データによって領域の大きさが変動する。更に、ヘッダ記録領域についても、必ずしも一定としなくてもよい。なお、図１３の例は各画像ファイルサイズが一定に設定された場合を示しているが、このファイルサイズをスイッチ等により適宜変更して設定することも可能である。
【００６６】
次に本発明の画像データ管理方法を用いた画像データファイルの記録動作について図１４，１５のフローチャートを用いて説明する。なお、ＤＳＣ自体は、前記図４等で説明したものと同一の構成とし、同じ符号を用いて説明する。
【００６７】
図１４に示す「カード挿入時の処理」において、まず、ステップＳ５１においてメモリカード１７のブートセクタ等の管理領域のチェックを行う。ステップＳ５２で現在記録モードであるかどうかのチェックを行い、記録モードでなかった場合は再生処理を行うためにステップＳ５９にジャンプする。記録モードであった場合、ステップＳ５３に進み、メモリカード１７にプロテクトが掛かっているかをチェックする。プロテクトが掛かっていれば、ステップＳ６０にジャンプし、その旨の警告を行う。プロテクトが掛かっていなければ、ステップＳ５４に進み、ＦＡＴから記録可能枚数を検索する。この場合、画像ファイルサイズが固定、または、設定されたサイズであることから正確な撮影可能枚数が求められる。
【００６８】
更に、ステップＳ５５にて、ディレクトリを検査して記録コマを決定する。ステップＳ５６にて、ＦＡＴから画像データ書き込みに十分なエリアをもつメモリエリアを検索する。そして、判別の結果（ステップＳ５７）、記録可能なエリアが存在しなかった場合、ステップＳ６１にジャンプして警告を発する。記録可能と判別された場合、ステップＳ５８に進み、記録開始アドレスを計算し、システムコントローラ１０内のメモリに記憶する。そして、本ルーチンを終了する。
【００６９】
続いて、トリガスイッチ釦１９が押圧されて撮影を実行する場合の動作を図１５の「トリガ処理」のフローチャートによって説明する。
記録モードに設定された状態にてトリガスイッチ釦１９が押圧されると、上記トリガ処理が立ち上がり、ステップＳ７１において記録可能かどうかのチェックを行う。メモリの空きがない場合、プロテクトが掛かっている場合等記録不可の状態であれば、ステップＳ９０へジャンプして警告を発する。記録可能である場合、ステップＳ７２に進み、画像記録開始アドレスを設定する。更に、ステップＳ７３で、前記固定のファイルサイズからファイルの最終アドレスを設定する。また、そのアドレスを越えないような圧縮仕様、即ち、圧縮パラメータの設定を行う。そして、ステップＳ７４で撮影を実行し、ステップＳ７５で圧縮処理を行う。ステップＳ７６で該圧縮データがオバーフローしたかを確認し、オバーフローしているときは、圧縮パラメータを変更して（ステップＳ９１）、ステップＳ７５に戻る。なお、このパラメータ変更処理は、すでに、ステップＳ７３で適切な設定がなされておれば、実際にはあまり実行されない。
【００７０】
上記ステップＳ７６でオバーフローのないことが確認されるとステップＳ７７に進み、最終アドレスを読み出す。更に、ステップＳ７８で上記最終アドレスの次のアドレスから当該画像データファイルの最終アドレスまで値０を書き込む。但し、このエリアのデータが値０でなく不定値データでもよければ、このステップＳ７８の処理は不要となる。そして、ステップＳ７９でファイルヘッダを書き込み、ステップＳ８０に進む。
【００７１】
ステップＳ８０において、ディレクトリの書き込みを行うが、この場合、ファイルサイズを固定の大きさとして書き込む。ステップＳ８１でＦＡＴの書き込みを行うが、これは、使用したメモリエリアのＦＡＴを使用した状態に設定するものである。ここまでの処理でＤＯＳの管理エリアの設定はすべて終了したことになる。
【００７２】
そして、ステップＳ８２，８３で、記録可能枚数のデクリメントを行い、また、ディレクトリを検索して次の記録コマを決定する。また、ステップＳ８４では、ＦＡＴから記録可能なメモリエリアの検索を行い、エリアの有無をチェックする（ステップＳ８５）。記録可能なエリアがない場合、ステップＳ９２にジャンプし、その旨の警告を発する。また、記録可能なエリアがあった場合、ステップＳ８６に進み、記録開始アドレスを計算して、システムコントローラ１０内のメモリに記憶し、本ルーチンを終了する。
【００７３】
以上説明したように、本発明方法を適用したカメラによれば、画像データの大きさが一定値以下であれば、ある程度のバラツキを許容するように制御することにより、圧縮処理の高速化を計ることもできる。更に、ファイルサイズを固定化することにより、１コマ消去モードで中間のメモリエリアが解放されたメモリエリアに入ることが保障されるため、メモリを有効に使うことができる。更に、カメラの連写速度を高速化でき、ＤＯＳ管理が容易になるなどの効果もある。
【００７４】
なお、以上、メモリカードを記録媒体とするＤＳＣについて説明したが、他の媒体、例えば、フィレキシブルディスクやハードディスクなど磁気記録媒体、光記録媒体等にも適用できる。
【００７５】
【発明の効果】
以上説明したように、本発明の電子カメラシステムによって画像データの授受が効率的で簡便に行える。
【００７７】
また、カメラの連写速度を高速化でき、ＤＯＳ管理が容易になるなどの効果もある。
【図面の簡単な説明】
【図１】画像記録装置であるＤＳＣ（デジタルスチルカメラ）の外観図。
【図２】上記図１のＤＳＣの操作スイッチ群の配置図。
【図３】上記図１のＤＳＣの表示部の詳細図。
【図４】上記図１のＤＳＣの制御部の主要ブロック構成図。
【図５】上記図１のＤＳＣに他のカメラをモデムを介して接続したときの接続系統とＤＳＣ内の電源供給，通信制御部回りのブロック構成を示す図。
【図６】上記図１のＤＳＣの外部機器接続時に、発生する割り込み処理ルーチン「ＣＩ入力割り込み」と「パワーオン」処理ルーチンのフローチャート。
【図７】上記図６の「パワーオン」処理ルーチンでコールされるサブルーチン「通信処理」のフローチャート。
【図８】上記図１のＤＳＣの変形例であって、該変形例のＤＳＣにＰＣを接続したときの接続系統と該変形例のＤＳＣ内の電源供給，通信制御部回りのブロック構成を示す図。
【図９】上記図８の変形例のＤＳＣに取り込まれる通信信号であるＳＤ，ＲＤ信号のタイムチャート。
【図１０】上記図８の変形例のＤＳＣの外部機器接続時に、発生する割り込み処理ルーチン「ＳＤ入力割り込み」と「パワーオン」処理ルーチンのフローチャート。
【図１１】上記図１のＤＳＣの関連装置であって、モデムを用いた通信に適用される画像通信アダプタのブロック構成と、ＤＳＣ，モデム等を接続した状態とを示す図。
【図１２】上記図１１の画像通信アダプタを適用したアダプタ，ＤＳＣ，モデム等の接続状態での斜視図。
【図１３】本発明の画像データ管理方法の一実施例である、上記図１のＤＳＣに適用可能な画像データ管理方法に使用される画像ファイルのメモリ配置図。
【図１４】上記図１３の画像データ管理方法を適用したＤＳＣの「メモリカード挿入時の処理」のフローチャート。
【図１５】上記図１３のＤＳＣの「トリガ処理」のフローチャート。
【図１６】従来のＤＳＣに適用されるメモリカードのメモリのデータ配置図。
【図１７】従来のＤＳＣに適用されるメモリカードにおけるＦＡＴの構成図。
【図１８】従来のＤＳＣに適用されるメモリカードにおけるディレクトリの構成図。
【図１９】従来のＤＳＣに適用されるメモリカードにおけるディレクトリエントリのフォーマット。
【図２０】従来のＤＳＣに適用されるメモリカードにおける画像ファイルに記録されるタプル形式のヘッダ情報を示す図。
【図２１】従来のＤＳＣに適用されるメモリカードにおける管理情報のタプル形式のデータ構成図。
【図２２】従来のＤＳＣに適用されるメモリカードにおけるデータ領域の画像ファイル構成図。
【符号の説明】
Ｂ1 、Ｂ2 、Ｂ3 ……各画像ファイル
Ｂ1a、Ｂ2a、Ｂ3a…０データ部
１  …………………レンズ
２  …………………撮像回路
３  …………………Ａ／Ｄ変換回路
４  …………………フレームメモリ
９  …………………圧縮／伸張回路
１０  …………………システムコントローラ
１１  …………………電源回路
１２  …………………表示・スイッチ制御回路
１５  …………………RS232CＩ／Ｆ
１６  …………………カードＩ／Ｆ
１７  …………………メモリカード
【図１】
0003636209.tif 000003
【図２】
0003636209.tif 000004
【図３】
0003636209.tif 000005
【図４】
0003636209.tif 000006
【図５】
0003636209.tif 000007
【図６】
0003636209.tif 000008
【図７】
0003636209.tif 000009
【図８】
0003636209.tif 000010
【図９】
0003636209.tif 000011
【図１０】
0003636209.tif 000012
【図１１】
0003636209.tif 000013
【図１２】
0003636209.tif 000014
【図１３】
0003636209.tif 000015
【図１４】
0003636209.tif 000016
【図１５】
0003636209.tif 000017
【図１６】
0003636209.tif 000018
【図１７】
0003636209.tif 000019
【図１８】
0003636209.tif 000020
【図１９】
0003636209.tif 000021
【図２０】
0003636209.tif 000022
【図２１】
0003636209.tif 000023
【図２２】
0003636209.tif 000024